(57)【要約】【課題】作業機の作業部をケース体に容易に収納できる作業機を提供する。【解決手段】作業機１０は、左右の支持延出部６３，６４の左右の水平延出部６７，６９を接地させることで作業機１０を運搬姿勢や保管姿勢に自立可能なスタンド手段２４と、スタンド手段に取り付けられて耕耘爪１５を収納可能なケース体２６とを備える。ケース体２６のうち左右の支持延出部６３，６４に対応する部位に左右の嵌合溝部８３，８４が設けられている。左右の嵌合溝部８３，８４が左右の支持延出部６３，６４に嵌合されることによりケース体２６が左右の支持延出部６３，６４に載置される。【選択図】図７
2010124733.tif 000002
【特許請求の範囲】
【請求項１】
機体の下方に作業部が設けられた作業機において、
前記機体の下方に支持延出部が設けられ、前記支持延出部の水平延出部を接地させることで作業機を運搬姿勢や保管姿勢に自立可能なスタンド手段と、
前記スタンド手段に取り付けられて前記作業部を収納可能な箱状のケース体と、
を備え、
前記ケース体のうち前記支持延出部に対応する部位に、前記支持延出部を前記ケース体の外方から嵌合可能な嵌合溝部が設けられ、
前記嵌合溝部が前記支持延出部に嵌合されることにより前記ケース体が前記支持延出部に載置されることを特徴とする作業機。
【請求項２】
前記嵌合溝部は、前記ケース体の底部から後壁部まで、または前記ケース体の底部から前壁部まで前記支持延出部に沿わせて延長され、
前記ケース体を前記支持延出部に沿わせて回転させながら前記作業部および前記支持延出部間に差し込むことで、前記嵌合溝部を前記支持延出部に嵌合させることを特徴とする請求項１記載の作業機。
【請求項３】
前記スタンド手段に移動用の車輪を備え、
前記車輪および前記水平延出部を接地させた状態で前記作業部を浮かすことを特徴とする請求項１または請求項２記載の作業機。
【請求項４】
前記ケース体は、
左右の側壁部のうち前部に、前記ケース体を前記支持延出部に着脱する際に把持可能にそれぞれ張り出された把持部と、
前記左右の側壁部のうち後部に、前記把持部に対して前記ケース体の幅方向中心側にそれぞれ凹ませた干渉防止用の凹部と、
が備えられたことを特徴とする請求項１〜３のいずれか１項記載の作業機。
【請求項５】
前記請求項１〜４のいずれか１項記載の作業機は耕耘機であって、
前記耕耘機に抵抗棒を着脱自在に取付可能な抵抗棒取付孔を備え、
前記抵抗棒取付孔に前記スタンド手段を着脱自在に取付可能としたことを特徴とする。
【請求項６】
前記ケース体の後壁部または前壁部のうち所定高さ位置に前記ケース体の水を排水可能な水抜孔が備えられたことを特徴とする請求項１〜５のいずれか１項記載の作業機。
【発明の詳細な説明】
【技術分野】
【０００１】
本発明は、機体の下方に耕耘爪などの作業部を備え、作業部を覆うケース体を着脱可能に備えた作業機に関する。
【背景技術】
【０００２】
作業機を車両に積載して運搬する際に、作業部に付着した土砂が車両の床部に落下することを防ぐために、作業部を収納するキャリングケース（以下、「ケース体」という）が提案されている（例えば、特許文献１参照。）。
【特許文献１】特開２００３−２１２１６０号公報
【０００３】
特許文献１のケース体は、上方が開口された上方開口部を備えるとともに箱状に形成されている。このケース体に作業部を収納する際には、作業機を持ち上げて作業部をケース体の上方に配置し、ケース体の上方開口部から作業部をケース体内に収納する。
このように、ケース体に作業部を収納した状態で、作業機を車両の床部に積載することで、作業部に付着した土砂が車両の床部に落下することを防ぐことができる。
【発明の開示】
【発明が解決しようとする課題】
【０００４】
しかし、特許文献１の作業機は、ケース体に作業部を収納する際に、作業機をケース体の上方まで持ち上げて作業部をケース体に収納する必要がある。
このように、作業機をケース体の上方まで持ち上げるため、ケース体に作業部を収納する場合に作業者に負担がかかり、この観点から改良の余地が残されていた。
【０００５】
本発明は、作業機の作業部をケース体に容易に収納できる作業機を提供することを課題とする。
【課題を解決するための手段】
【０００６】
請求項１に係る発明は、機体の下方に作業部が設けられた作業機において、前記機体の下方に支持延出部が設けられ、前記支持延出部の水平延出部を接地させることで作業機を運搬姿勢や保管姿勢に自立可能なスタンド手段と、前記スタンド手段に取り付けられて前記作業部を収納可能な箱状のケース体と、を備え、前記ケース体のうち前記支持延出部に対応する部位に、前記支持延出部を前記ケース体の外方から嵌合可能な嵌合溝部が設けられ、前記嵌合溝部が前記支持延出部に嵌合されることにより前記ケース体が前記支持延出部に載置されることを特徴とする。
【０００７】
請求項２は、前記嵌合溝部は、前記ケース体の底部から後壁部まで、または前記ケース体の底部から前壁部まで前記支持延出部に沿わせて延長され、前記ケース体を前記支持延出部に沿わせて回転させながら前記作業部および前記支持延出部間に差し込むことで、前記嵌合溝部を前記支持延出部に嵌合させることを特徴とする。
【０００８】
請求項３は、前記スタンド手段に移動用の車輪を備え、前記車輪および前記水平延出部を接地させた状態で前記作業部を浮かすことを特徴とする。
【０００９】
請求項４は、前記ケース体は、左右の側壁部のうち前部に、前記ケース体を前記支持延出部に着脱する際に把持可能にそれぞれ張り出された把持部と、前記左右の側壁部のうち後部に、前記把持部に対して前記ケース体の幅方向中心側にそれぞれ凹ませた干渉防止用の凹部と、が備えられたことを特徴とする。
【００１０】
請求項５は、前記請求項１〜４のいずれか１項記載の作業機は耕耘機であって、前記耕耘機に抵抗棒を着脱自在に取付可能な抵抗棒取付孔を備え、前記抵抗棒取付孔に前記スタンド手段を着脱自在に取付可能としたことを特徴とする。
【００１１】
請求項６は、前記ケース体の後壁部または前壁部のうち所定高さ位置に前記ケース体の水を排水可能な水抜孔が備えられたことを特徴とする。
【発明の効果】
【００１２】
請求項１に係る発明では、スタンド手段および箱状のケース体を備えた。このスタンド手段の支持延出部を機体の下方に設け、この支持延出部を嵌合可能な嵌合溝部をケース体に設けた。
そして、ケース体の嵌合溝部を支持延出部に嵌合させることにより、ケース体を支持延出部に載置するようにした。
【００１３】
よって、作業機を持ち上げることなく、支持延出部にケース体を載置することや、載置したケース体を支持延出部から取り外すことができる。
これにより、従来技術のように、作業機を持ち上げてケース体に収納する必要がないので、作業部をケース体に容易に収納することができ、作業部をケース体から容易に取り外すことができる。
【００１４】
請求項２に係る発明では、嵌合溝部を支持延出部に沿わせて、ケース体の底部から後壁部まで、またはケース体の底部から前壁部まで延長した。
そして、ケース体を支持延出部に沿わせて回転させながら作業部および支持延出部間に差し込むことで、嵌合溝部を支持延出部に嵌合させるようにした。
これにより、作業部をケース体に一層容易に収納することができ、作業部をケース体から一層容易に取り外すことができる。
【００１５】
請求項３に係る発明では、スタンド手段に移動用の車輪を備えた。
これにより、車輪を利用して作業機を容易に移動することが可能になり、使い勝手の向上を図ることができる。
【００１６】
さらに、車輪および水平延出部を接地させた状態で作業部を浮かすようにした。
これにより、支持延出部にケース体を載置する作業や、載置したケース体を支持延出部から取り外す作業を一層容易におこなうことができる。
【００１７】
請求項４に係る発明では、左右の側壁部のうち前部から把持部を張り出した。把持部を把持することで、ケース体を支持延出部に容易に着脱することができる。
さらに、左右の側壁部のうち後部に干渉防止用の凹部をそれぞれ備えた。干渉防止用の凹部を備えることで、作業機を持ち上げる際に、作業者がケース体に干渉することを防ぐことができる。
【００１８】
請求項５に係る発明では、作業機として耕耘機を採用し、耕耘機に備えた抵抗棒取付孔にスタンド手段を着脱自在に取付可能とした。
これにより、スタンド手段を取り付ける取付孔を、耕耘機に備える必要がなく部品数を抑えて構成の簡素化を図ることができる。
【００１９】
請求項６に係る発明では、ケース体の後壁部のうち所定高さ位置に排水用の水抜孔を備えた。
水抜孔を所定高さ位置に備えることで、ケース体の内部空間において水抜孔より高い内部空間に水が溜まることを防止できる。
【００２０】
さらに、水抜孔を後壁部の所定高さ位置に備えたので、水抜孔はケース体の底部より上方に位置する。よって、例えば、作業部から水滴がケース体の底部に滴下した場合に、滴下した水をケース体の内部に蓄えておくことができる。
これにより、作業部から滴下した水滴が、ケース体の内部から車両の床部に排水されることを阻止することができる。
【発明を実施するための最良の形態】
【００２１】
本発明を実施するための最良の形態を添付図に基づいて以下に説明する。なお、「前」、「後」、「左」、「右」は操作者から見た方向にしたがい、前側をＦｒ、後側をＲｒ、左側をＬ、右側をＲとして示す。
ここで、本実施の形態では作業機として歩行型耕耘機を例示するが、作業機は歩行型耕耘機に限定するものではない。
【００２２】
図１は本発明に係る作業機に抵抗棒を取り付けた状態を示す側面図、図２は本発明に係る作業機にスタンド手段を取り付けた状態を示す側面図、図３は本発明に係る作業機にケース体を取り付けた状態を示す側面図である。
作業機１０は、作業機本体（機体）１１の上端部に搭載されたエンジン１２と、エンジン１２の下方に設けられた耕耘軸１３と、耕耘軸１３に設けられた複数の耕耘爪（作業部）１５と、作業機本体１１の支持ブラケット１６から後上方へ向けて延出されたハンドルコラム１８と、ハンドルコラム１８の前端部１８ａに設けられた抵抗棒取付部２０と、抵抗棒取付部２０に着脱自在に取り付け可能な抵抗棒２２およびスタンド手段２４と、スタンド手段２４に取り付けられたケース体２６と、ハンドルコラム１８の略中央に設けられた運搬用のキャリーハンドル２８と、ハンドルコラム１８の上端部に設けられた操作ハンドル２９とを備えた歩行型耕耘機である。
【００２３】
この作業機１０は、エンジン１２の動力を耕耘軸１３に伝達し、耕耘軸１３を回転することにより、複数の耕耘爪１５で土壌を耕耘しながら走行する歩行型耕耘機である。
【００２４】
図４は本発明に係る作業機に抵抗棒を取り付けた状態を示す斜視図、図５は図４の５矢視図である。
抵抗棒取付部２０は、ハンドルコラム１８の前端部１８ａに設けられた取付パイプ部３１と、取付パイプ部３１に取り付けられた着脱操作手段３２とを備えている。
【００２５】
取付パイプ部３１は、抵抗棒取付孔３３が同軸上に貫通された筒状体である。
この取付パイプ部３１は、ハンドルコラム１８の前端部１８ａに貫通した状態でハンドルコラム１８に対して交差するように設けられ、鉛直線３５に対して角度θ（図１も参照）で傾斜するように配置されることで車体後方に向けて下り勾配に配置されている。
この取付パイプ部３１は、ハンドルコラム１８の前端部１８ａ上方に一対の係止孔３１ａが同軸上に形成されている。
【００２６】
着脱操作手段３２は、取付パイプ部３１の上端部３１ｂおよびハンドルコラム１８の前端部１８ａに溶接されたブラケット３７と、ブラケット３７の上下の端部３７ａ，３７ｂに設けられたストッパ片３８と、ブラケット３７の折曲部３９に貫通された筒状のカラー４１と、カラー４１に貫通されるとともに取付パイプ部３１の係止孔３１ａ，３１ａに差込可能な操作ロッド４２と、ストッパ片３８および折曲部３９間に介在された圧縮ばね４３とを備えている。
【００２７】
ブラケット３７は、上片４４の端部３７ａが取付パイプ部３１の上端部３１ｂに溶接され、下辺４５の端部３７ｂがハンドルコラム１８の前端部１８ａに溶接され、上片４４および下辺４５が折曲部３９で連結されている。
このブラケット３７は、上片４４、下辺４５および折曲部３９で略Ｕ字状に形成されている。
【００２８】
ストッパ片３８は、上片４４の端部３７ａ近傍および下辺４５の端部３７ｂ近傍に設けられ、略中央に貫通孔３８ａが形成されている。
カラー４１は、貫通孔３８ａと同軸上に配置された状態で、折曲部３９に貫通されるとともに固定されている。
【００２９】
操作ロッド４２は、カラー４１、ストッパ片３８の貫通孔３８ａ、取付パイプ部３１の係止孔３１ａ，３１ａおよび抵抗棒２２の取付孔２２ａに貫通された直線状のロッド本体４２ａと、ロッド本体４２ａに設けられてストッパ片３８に当接可能なフランジ４２ｂと、カラー４１から外側に突出したロッド本体４２ａの基端部に設けられた取手部４２ｃとを備えている。
【００３０】
圧縮ばね４３は、ブラケット３７の折曲部３９および操作ロッド４２のフランジ４２ｂ間に配置されるとともに、操作ロッド４２およびカラー４１に嵌合されている。
【００３１】
着脱操作手段３２によれば、圧縮ばね４３のばね力でフランジ４２ｂを押圧してフランジ４２ｂをストッパ片３８に当接させることで、ロッド本体４２ａを取付パイプ部３１の係止孔３１ａ，３１ａおよび抵抗棒２２の取付孔２２ａに差し込んだ状態に保持することができる。
これにより、取付パイプ部３１の抵抗棒取付孔３３に抵抗棒２２を取り付けることができる。
抵抗棒取付孔３３に抵抗棒２２を取り付けることで、作業機（歩行型耕耘機）１０で土壌を耕耘する際に、耕耘時の姿勢を抵抗棒で保持することができる。
【００３２】
一方、取手部４２ｃを矢印の如く右方向に引っ張ることで、フランジ４２ｂが矢印方向に移動し、フランジ４２ｂで圧縮ばね４３を圧縮する。圧縮ばね４３を圧縮することで、ロッド本体４２ａを取付パイプ部３１の係止孔３１ａ，３１ａおよび抵抗棒２２の取付孔２２ａから抜き出すことができる。
これにより、取付パイプ部３１の抵抗棒取付孔３３から抵抗棒２２を手間をかけないで簡単に取り付けることや外すことができる。
【００３３】
図６は本発明に係る作業機にスタンド手段およびケース体を取り付けた状態を示す斜視図、図７は本発明に係る作業機からスタンド手段およびケース体を外した状態を示す斜視図である。
スタンド手段２４は、取付パイプ部３１の抵抗棒取付孔３３に着脱自在に取付可能なポール部５１と、ポール部５１の下端部５１ａに設けられた取付ブラケット５２と、取付ブラケット５２の上端部５２ａに設けられたスタンド部材５３と、スタンド部材５３に取り付けられた抵抗棒保持部５４と、取付ブラケット５２の下端部５２ｂに設けられた車輪５５とを備えている。
【００３４】
ポール部５１は、抵抗棒取付孔３３に下方から差込可能に形成された棒部材で、上端部５１ｂに取付孔５１ｃが設けられている。
取付孔５１ｃは、操作ロッド４２のロッド本体４２ａが貫通可能に形成されている。
抵抗棒取付孔３３にポール部５１を取り付けることで、取付パイプ部３１にスタンド手段２４を取り付けることができる。
【００３５】
このように、図１に示すように、作業機１０を耕耘機とすることで、耕耘機に備えた抵抗棒取付孔３３を利用してスタンド手段２４を着脱自在に取り付けることができる。
これにより、スタンド手段２４を取り付けるために、専用の取付ブラケット（取付孔）を作業機（耕耘機）１０に備える必要がなく部品数を抑えて簡素化を図ることができる。
【００３６】
取付ブラケット５２は、ポール部５１の下端部５１ａに設けられた頂部５７と、頂部５７の左右端から下方に折り曲げられた左右の脚部５８とを備えている。
左右の脚部５８の上端部に受入凹部５９，５９が形成され、受入凹部５９，５９にスタンド部材５３が設けられている。
また、左右の脚部５８間に車輪５５が配置され、車輪５５が左右の脚部５８の下端部に支持軸を介して回転自在に取り付けられている。
【００３７】
図８は本発明に係るスタンド手段を示す斜視図である。
スタンド部材５３は、ロッドを折り曲げて形成された部材である。
このスタンド部材５３は、幅方向に略水平に延びた水平ロッド部６２と、水平ロッド部６２の左端部から前方に向けて延びた左支持延出部（支持延出部）６３と、水平ロッド部６２の右端部から前方に向けて下り勾配に延びた右支持延出部（支持延出部）６４とを備えている。
このスタンド部材５３は、平面視で略コ字状に形成されている。
【００３８】
左支持延出部６３は、水平ロッド部６２の左端部から前方に向けて下り勾配に延びた左傾斜延出部６６と、左傾斜延出部６６の下端部から前方に向けて水平に延びた左水平延出部（水平延出部）６７とを備えている。
右支持延出部６４は、水平ロッド部６２の右端部から前方に向けて下り勾配に延びた右傾斜延出部６８と、右傾斜延出部６８の下端部から前方に向けて水平に延びた右水平延出部（水平延出部）６９とを備えている。
【００３９】
左右の水平延出部６７，６９は、図２に示す作業機本体１１の下方に設けられた耕耘爪１５の下方に（回り込むように）延出されている。
回り込んだ左右の水平延出部６７，６９は、耕耘爪１５の下端１５ａに対して距離Ｈ１（図２参照）だけ下方に配置されている。
よって、図２に示すように、左右の水平延出部６７，６９を接地させた状態で、耕耘爪１５を浮かせた状態に保持することができる。
【００４０】
抵抗棒保持部５４は、抵抗棒２２を保持するパイプ（筒状部材）で、スタンド部材５３の左傾斜延出部６６に設けられるとともに下端部５４ａが凹状に潰されている。
下端部５４ａを凹状に潰すことで、抵抗棒２２の上端部２２ｂが抵抗棒保持部５４に差し込まれた状態に保持される。
これにより、抵抗棒保持部５４で抵抗棒２２を保持することができる。
【００４１】
スタンド手段２４によれば、抵抗棒取付孔３３から抵抗棒２２を外した状態で、ポール部５１を抵抗棒取付孔３３に取り付けることで、図２に示すように左右の水平延出部６７，６９および車輪５５を接地させることができる。
スタンド手段２４単独で作業機１０を運搬姿勢や保管姿勢に自立させた状態に保つことができる。
【００４２】
ここで、前述したように、左右の水平延出部６７，６９は、耕耘爪１５の下端１５ａに対して距離Ｈ１（図２参照）だけ下方に配置されている。
よって、図２に示すように、左右の水平延出部６７，６９を接地させた状態において、耕耘爪１５を浮かせた状態で作業機１０を運搬姿勢や保管姿勢に自立させた状態に保つことができる。
これにより、耕耘爪１５の交換作業や耕耘爪１５の修理・洗浄作業などを手間をかけないでおこなうことが可能になり、作業性の向上を図ることができる。
【００４３】
また、スタンド手段２４によれば、スタンド手段２４に移動用の車輪５５を備えた。
これにより、車輪５５を利用して作業機１０を容易に移動することが可能になり、使い勝手の向上を図ることができる。
【００４４】
さらに、移動用の車輪５５を用いて作業機１０を運搬姿勢や保管姿勢に自立させた状態に保つことができる。
このように、移動用の車輪５５を、作業機１０を自立状態に保持する部材として兼用することで、スタンド手段２４の簡素化を図ることができる。
【００４５】
図６、図７に戻って、ケース体２６は、スタンド手段２４のスタンド部材５３（具体的には、左右の支持延出部６３，６４）に取り付けられ、図１に示す耕耘爪１５を収納可能なケースである。
耕耘爪１５をケース体２６で収納することで、耕耘爪１５から落ちた土砂をケース体２６内に蓄えることができる。
これにより、作業機１０を車両で運搬する際に、車両の床部を耕耘爪１５から落ちた土砂で汚すことを防止できる。
【００４６】
このケース体２６は、略矩形状に形成された底部７１と、底部７１の前辺から上方に立ち上げられた前壁部７２と、底部７１の後辺から上方に立ち上げられた後壁部７３と、底部７１の左辺から上方に立ち上げられた左側壁部７４と、底部７１の右辺から上方に立ち上げられた右側壁部７５とを備えている。
このケース体２６は、底部７１、前壁部７２、後壁部７３、左側壁部７４および右側壁部７５で箱状に形成されている。
【００４７】
底部７１は、略矩状に形成された水平の部位である。
前壁部７２は、底部７１の前辺から前方に向けて上り勾配で傾斜された壁部である。
後壁部７３は、底部７１の後辺から後方に向けて上り勾配で傾斜された壁部である。
【００４８】
左側壁部７４は、底部７１の左辺から略鉛直に立ち上げられた側壁である。
左側壁部７４の上辺７７は、後方に向けて上り勾配に形成された上前辺７７ａと、上前辺７７ａの上端から後方に向けて略水平に形成された上中央辺７７ｂ、上中央辺７７ｂの後端から後方に向けて下り勾配に形成された上後辺７７ｃとを有する。
すなわち、上辺７７は、上中央辺７７ｂを略水平、上前辺７７ａおよび上後辺７７ｃを傾斜状とすることで略富士山型に形成されている。
【００４９】
この左側壁部７４は、上前辺（左側壁部のうち前部）７７ａから外側に張り出された把持部７８と、上中央辺７７ｂおよび上後辺（左側壁部のうち後部）７７ｃから外側に張り出されたフランジ部７９とを有している。
把持部７８は、作業者が把持可能に張出幅Ｗ１で比較的大きく外側に張り出されている。
【００５０】
図９は本発明に係る作業機にケース体を取り付けた状態を示す平面図である。
フランジ部７９は、把持部７８の張出幅Ｗ１に対して幅寸法が小さい張出幅Ｗ２で張り出されている。
よって、上中央辺７７ｂおよび上後辺７７ｃに、把持部７８に対してケース体２６の幅方向中心側に凹ませた干渉防止用の凹部８１が形成されている。
【００５１】
右側壁部７５は、底部７１の右辺から略鉛直に立ち上げられた側壁である。
右側壁部７５は、左側壁部７４と左右対称の側壁部なので、右側壁部７５の各構成部位に左側壁部７４と同じ符号を付して説明を省略する。
【００５２】
左右の側壁部７４，７５の上前辺７７ａに左右の把持部７８を備えることで、左右の把持部７８を作業者が把持してケース体２６を容易に持ち上げることができる。
さらに、左右の側壁部７４，７５の上中央辺７７ｂおよび上後辺７７ｃに干渉防止用の左右の凹部８１を備えることで、作業機１０を持ち上げる際に、作業者がケース体２６に干渉することを防ぐことができる。
【００５３】
図１０は本発明に係るケース体を示す斜視図、図１１は本発明に係る作業機を示す背面図である。
ケース体２６は、底部７１および後壁部７３において、左右の支持延出部６３，６４に対応する部位に、左右の支持延出部６３，６４をケース体２６の外方から嵌合可能な左右の嵌合溝部（嵌合溝部）８３，８４が設けられている。
【００５４】
左嵌合溝部８３は、底部７１の左側辺近傍から後壁部７３の左側辺近傍に亘って左側壁部７４（すなわち、左支持延出部６３）に沿って延出するように側面視略く字状に形成されている。
左嵌合溝部８３には、左支持延出部６３がケース体２６の外方から嵌合可能に凹状に形成されている。
【００５５】
右嵌合溝部８４は、底部７１の右側辺近傍から後壁部７３の右側辺近傍に亘って右側壁部７５（すなわち、右支持延出部６４）に沿って延出するように側面視略く字状に形成されている。
右嵌合溝部８４には、右支持延出部６４がケース体２６の外方から嵌合可能に凹状に形成されている。
【００５６】
左嵌合溝部８３が左支持延出部６３に嵌合されるとともに、右嵌合溝部８４が右支持延出部６４に嵌合されることにより、ケース体２６が左右の支持延出部６３，６４に上方から載置される。
【００５７】
よって、作業機１０を持ち上げることなく、左右の支持延出部６３，６４にケース体２６を載置することや、載置したケース体２６を左右の支持延出部６３，６４から取り外すことができる。
これにより、作業機１０を持ち上げてケース体２６に収納する必要がないので、耕耘爪１５をケース体２６に容易に収納することができ、耕耘爪１５をケース体２６から容易に取り外すことができる。
【００５８】
さらに、スタンド手段２４は、左右の水平延出部６７，６９を接地させた状態において、耕耘爪１５を浮かせた状態で作業機１０を運搬姿勢や保管姿勢に自立させた状態に保つことができる。
よって、ケース体２６を左右の支持延出部６３，６４に沿わせて回転させながら耕耘爪１５および左右の支持延出部６３，６４間に差し込むことで、左嵌合溝部８３が左支持延出部６３に嵌合されるとともに、右嵌合溝部８４が右支持延出部６４に嵌合される。
これにより、耕耘爪１５をケース体２６に一層容易に収納することができ、耕耘爪１５をケース体２６から一層容易に取り外すことができる。
【００５９】
加えて、前述したように、左右の側壁部７４，７５の上前辺７７ａに左右の把持部７８を備えている。これにより、左右の把持部７８を作業者が把持して、ケース体２６をスタンド部材５３（左右の支持延出部６３，６４（図７参照））に一層容易に着脱することができる。
【００６０】
後壁部７３は、底部７１から所定高さ位置Ｈ２の部位に一対の水抜孔８６が備えられている。
一対の水抜孔８６は、左右の補強リブ８７間に一定の間隔をおいて水平に配置され、ケース体２６の内部空間８８の水を排水可能な孔である。
これにより、一対の水抜孔８６を所定高さ位置Ｈ２に備えることで、ケース体２６の内部空間８８において一対の水抜孔８６より高い空間に水が溜まることを防止できる。
【００６１】
さらに、一対の水抜孔８６を後壁部７３の所定高さ位置Ｈ２に備えたので、一対の水抜孔８６はケース体２６の底部７１より上方に位置する。
よって、例えば、作業機１０から水滴がケース体２６の底部７１に滴下した場合に、滴下した水をケース体２６の底部７１に蓄えておくことができる。
これにより、耕耘爪１５から滴下した水滴が、ケース体２６の内部空間８８から車両の床部に排水されることを阻止することができる。
【００６２】
ところで、ケース体２６は、スタンド手段２４の車輪５５を軸にして作業機１０（図１参照）を後傾させることで、一対の水抜孔８６を最下位置に容易に配置できる。
よって、ケース体２６の内部空間８８において一対の水抜孔８６より低い空間に水が溜まった場合、作業機１０を後傾させて一対の水抜孔８６を最下位置に配置することで、ケース体２６の水を容易に排水することができる。
【００６３】
図９に戻って、キャリーハンドル２８は、図１に示すようにハンドルコラム１８の略中央に設けられ、作業機１０を運ぶために握る（把持する）左右のグリップ部４６，４７および中央グリップ部４８が設けられている。
作業機１０を運ぶために、例えば、作業機１０の左右側（ケース体２６の左右側）に各作業者が立ち、各作業者が左グリップ部４６および右グリップ部４７をそれぞれ把持し、左右のグリップ部４６，４７を持ち上げて作業機１０を運ぶ。
または、作業機１０の左右側（ケース体２６の左右側）の一方に１人の作業者が立ち、中央グリップ部４８を把持し、中央グリップ部４８を持ち上げて作業機１０を運ぶ。
【００６４】
このため、作業機１０を運ぶ際に、作業者がケース体２６の左右側、または一側に立つことになる。このため、左右の側壁部７４，７５の上中央辺７７ｂおよび上後辺７７ｃからフランジを大きく張り出すと、フランジに作業者が干渉することが考えられる。
そこで、前述したように、左右の側壁部７４，７５の上中央辺７７ｂおよび上後辺７７ｃに干渉防止用の左右の凹部８１を備えた。
これにより、作業機１０を持ち上げる際に、作業者がケース体２６に干渉することを防ぐことができる。
【００６５】
ここで、前述したように、ケース体２６の水抜孔８６は後壁部７３に備えられている。
一方、作業機１０を運ぶ際に、作業者はケース体２６の左右側に位置する。
これにより、作業機１０を運ぶ際に、水抜孔８６から排水された水が作業者にかからないようにできる。
【００６６】
つぎに、作業機１０から抵抗棒２２を外してスタンド手段２４を取り付ける手順を図１２〜図１４に基づいて説明する。
図１２（ａ），（ｂ）は本発明に係る作業機から抵抗棒を外す手順を説明する図である。
（ａ）において、作業機１０を耕耘軸１３を軸にして矢印Ａの如く前側に倒すことによりガード部材２７を接地させる。ガード部材２７および耕耘爪１５が接地することで、作業機１０が前傾した状態に保持される。
作業機１０が前傾することで、取付パイプ部３１の下端部３１ｃが後方を向いて配置され、抵抗棒２２が横向きに浮いた状態に保たれる。
【００６７】
（ｂ）において、図５に示す着脱操作手段３２の操作ロッド４２（具体的には、取手部４２ｃ）を操作することで、取付パイプ部３１の抵抗棒取付孔３３（図５参照）から抵抗棒２２を矢印Ｂの如く外す。
【００６８】
図１３（ａ），（ｂ）は本発明に係る作業機にスタンド手段を取り付ける手順を説明する図である。
（ａ）において、取付パイプ部３１の抵抗棒取付孔３３（図５参照）にスタンド手段２４のポール部５１を矢印Ｃの如く差し込む。ポール部５１を差し込んだ状態で、図５に示す操作ロッド４２（取手部４２ｃ）を操作して取付パイプ部３１にポール部５１を取り付ける。
【００６９】
（ｂ）において、作業機１０を矢印Ｄの如く運搬姿勢や保管姿勢に自立させる位置に戻すことにより、スタンド手段２４に備えた左右の水平延出部６７，６９および車輪５５を接地させる。左右の水平延出部６７，６９および車輪５５を接地させることで、スタンド手段２４で作業機１０が運搬姿勢や保管姿勢で自立状態に保たれる。
取付パイプ部３１から外した抵抗棒２２を抵抗棒保持部５４に矢印Ｅの如く取り付ける。
【００７０】
図１４は本発明に係る作業機をスタンド手段で自立させた状態を示す図である。
左右の水平延出部６７，６９は、耕耘爪１５の下端１５ａに対して距離Ｈ１だけ下方に配置されている。よって、左右の水平延出部６７，６９および車輪５５を接地させることで、耕耘爪１５を浮かせた状態に保つことができる。
【００７１】
つぎに、スタンド手段２４にケース体２６を取り付ける手順を図１５に基づいて説明する。
図１５（ａ），（ｂ）は本発明に係る作業機にケース体を取り付ける手順を説明する図である。
（ａ）において、ケース体２６の左右の把持部７８（図６も参照）を掴んで、ケース体２６を矢印Ｆの如く後傾させて後壁部７３を水平に配置する。この状態で、ケース体２６を矢印Ｇの如く移動させて、後壁部７３を左右の水平延出部６７，６９と耕耘爪１５との間に差し込む。
ケース体２６の左右の把持部７８を掴むことで、ケース体２６を差し込む作業を手間をかけないで容易におこなうことができる。
ケース体２６を差し込むことで、左水平延出部６７に左嵌合溝部８３が嵌合するとともに、右水平延出部６９に右嵌合溝部８４が嵌合する。
【００７２】
ケース体２６の後壁部７３を、左右の傾斜延出部６６，６８と耕耘爪１５との間に差し込む。
左傾斜延出部６６に左嵌合溝部８３が嵌合するとともに、右傾斜延出部６８に右嵌合溝部８４が嵌合する。
【００７３】
（ｂ）において、ケース体２６の後壁部７３（図１５（ａ）参照）を、左右の水平延出部６７，６９に沿って移動し、その後、左右の傾斜延出部６６，６８に沿って移動することで、ケース体２６が矢印Ｉの如く回転する。
ケース体２６が矢印Ｉの如く回転することで、左支持延出部６３に左嵌合溝部８３が嵌合するとともに、右支持延出部６４に右嵌合溝部８４が嵌合する。
【００７４】
ケース体２６が矢印Ｉの如く回転することで、ケース体２６の底部７１が水平に配置されて接地する。
この状態で、ケース体２６がスタンド部材５３（具体的には、左右の支持延出部６３，６４）に載置された状態で取り付けられる。
【００７５】
なお、本発明に係る作業機は、前述した実施の形態に限定されるものではなく適宜変更、改良などが可能である。
例えば、前記実施の形態では、作業機として歩行型耕耘機を例示したが、作業機はこれに限定するものではなく、芝刈機などの他の作業機に適用することも可能である。
【００７６】
また、前記実施の形態では、作業機１０をスタンド手段２４で自立状態に保持した際に耕耘爪１５を浮かせる例について説明したが、これに限らないで、耕耘爪１５を浮かせないように構成することも可能である。
【００７７】
さらに、前記実施の形態では、スタンド部材５３に左右の支持延出部６３，６４を備えた例について説明したが、支持延出部の本数は２本に限定するものではない。
例えば、スタンド部材５３に一本の支持延出部を備え、一本の支持延出部を略Ｔ字状に形成することも可能である。
【００７８】
また、前記実施の形態では、左右の嵌合溝部８３，８４をケース体２６の底部７１から後壁部７３まで延ばした例について説明したが、これに限らないで、左右の嵌合溝部８３，８４をケース体２６の底部７１から前壁部７２まで延ばすことも可能である。
【００７９】
さらに、前記実施の形態では、ケース体２６の後壁部７３に水抜孔８６を備えた例について説明したが、これに限らないで、ケース体２６の前壁部７２に水抜孔を備えることも可能である。
【００８０】
また、前記実施の形態で示した作業機本体１１、耕耘爪１５、抵抗棒２２、スタンド手段２４、ケース体２６、取付パイプ部３１、抵抗棒取付孔３３、車輪５５、左右の支持延出部６３，６４、左右の水平延出部６７，６９、底部７１、前壁部７２、後壁部７３、左右の側壁部７４，７５、左右の把持部７８、左右の凹部８１、左右の嵌合溝部８３，８４および水抜孔８６などは例示した形状に限定するものではなく適宜変更が可能である。
【産業上の利用可能性】
【００８１】
本発明は、機体の下方に耕耘爪などの作業部を備え、作業部を覆うケース体を着脱可能に備えた作業機への適用に好適である。
【図面の簡単な説明】
【００８２】
【図１】本発明に係る作業機に抵抗棒を取り付けた状態を示す側面図である。
【図２】本発明に係る作業機にスタンド手段を取り付けた状態を示す側面図である。
【図３】本発明に係る作業機にケース体を取り付けた状態を示す側面図である。
【図４】本発明に係る作業機に抵抗棒を取り付けた状態を示す斜視図である。
【図５】図４の５矢視図である。
【図６】本発明に係る作業機にスタンド手段およびケース体を取り付けた状態を示す斜視図である。
【図７】本発明に係る作業機からスタンド手段およびケース体を外した状態を示す斜視図である。
【図８】本発明に係るスタンド手段を示す斜視図である。
【図９】本発明に係る作業機にケース体を取り付けた状態を示す平面図である。
【図１０】本発明に係るケース体を示す斜視図である。
【図１１】本発明に係る作業機を示す背面図である。
【図１２】本発明に係る作業機から抵抗棒を外す手順を説明する図である。
【図１３】本発明に係る作業機にスタンド手段を取り付ける手順を説明する図である。
【図１４】本発明に係る作業機をスタンド手段で自立させた状態を示す図である。
【図１５】本発明に係る作業機にケース体を取り付ける手順を説明する図である。
【符号の説明】
【００８３】
１０…作業機、１１…作業機本体（機体）、１５…耕耘爪（作業部）、２２…抵抗棒、２４…スタンド手段、２６…ケース体、３１…取付パイプ部、３３…抵抗棒取付孔、５５…車輪、６３，６４…左右の支持延出部（支持延出部）、６７，６９…左右の水平延出部（水平延出部）、７１…底部、７２…前壁部、７３…後壁部、７４，７５…左右の側壁部、７７ａ…上前辺（左側壁部のうち前部）、７７ｃ…上後辺（左側壁部のうち後部）、７８…左右の把持部（把持部）、８１…左右の凹部（凹部）、８３，８４…左右の嵌合溝部（嵌合溝部）、８６…水抜孔。
【図１】
2010124733.tif 000003
【図２】
2010124733.tif 000004
【図３】
2010124733.tif 000005
【図４】
2010124733.tif 000006
【図５】
2010124733.tif 000007
【図６】
2010124733.tif 000008
【図７】
2010124733.tif 000009
【図８】
2010124733.tif 000010
【図９】
2010124733.tif 000011
【図１０】
2010124733.tif 000012
【図１１】
2010124733.tif 000013
【図１２】
2010124733.tif 000014
【図１３】
2010124733.tif 000015
【図１４】
2010124733.tif 000016
【図１５】
2010124733.tif 000017